(57)【特許請求の範囲】
【請求項１】
ショーケース本体内にその側面を介して設置される商品載置用の棚と、この棚の上面を加温するヒータとを備えたショーケースにおいて、
前記棚の各側面端部の少なくとも一方には、当該側面端部側への商品の載置を規制する規制部材と、該規制部材の軸端部が挿入され該規制部材を垂直方向に回動自在に保持する保持手段とを有し、
前記保持手段は、その上面に前記規制部材の軸端部が挿入可能な切り欠きを有する箱体で形成するとともに、該保持手段の内側幅寸法を前記規制部材の軸端部の径寸法とほぼ同一に設定し、かつ、該保持手段の内側高さ寸法を該規制部材の軸端部の径寸法より大きく設定した
ことを特徴とするショーケース。
【発明の詳細な説明】
【０００１】
【発明の属する技術分野】
本発明は、コンビニエンスストアやスーパーマーケット等で商品陳列に用いられるショーケースに関するものである。
【０００２】
【従来の技術】
従来、この種のショーケースとしては、前面及び両側面を開口した断熱性のショーケース本体と、両側面に設けられた透明板と、ショーケース本体内に上下に並設され商品を載置する棚と、この棚の上面下側に接触し、棚の上面を介して商品を加温するヒータと、ショーケース本体内を冷却する蒸発器を有する冷却装置とを備え、前記棚の左右両端側にレール部を設け、棚を前後方向に移動可能に構成したものが知られている。
【０００３】
このショーケースによれば、商品の冷却時には冷却装置を、加温時にはヒータを作動させることにより、季節や販売商品に応じて商品の冷却・加温を変更できるという利点がある。
【０００４】
【発明が解決しようとする課題】
しかしながら、前記ショーケースにおいては、棚の左右両端側には移動用のレール部が設けられているため、この部分にヒータを設置することができず、棚の左右両端側に載置された商品が十分に加温されないという問題点があった。また、レール部を設けないものにおいても、棚の左右両端側に支持用の金具等が設けられるので、棚の左右両端側に載置された商品は十分に加温されないという問題点があった。
【０００５】
本発明は前記問題点に鑑みてなされたものであり、その目的とするところは、棚のうち加温に適した範囲にのみ商品が載置され、十分に加温された商品を陳列・販売することのできるショーケースを提供することにある。
【０００６】
【課題を解決するための手段】
本発明は前記目的を達成するために、請求項１では、ショーケース本体内にその側面を介して設置される商品載置用の棚と、この棚の上面を加温するヒータとを備えたショーケースにおいて、前記棚の各側面端部の少なくとも一方には、当該側面端部側への商品の載置を規制する規制部材と、該規制部材の軸端部が挿入され該規制部材を垂直方向に回動自在に保持する保持手段とを有し、前記保持手段は、その上面に前記規制部材の軸端部が挿入可能な切り欠きを有する箱体で形成するとともに、該保持手段の内側幅寸法を前記規制部材の軸端部の径寸法とほぼ同一に設定し、かつ、該保持手段の内側高さ寸法を該規制部材の軸端部の径寸法より大きく設定している。これにより、棚の側面端部側はヒータからの熱が伝わり難くなっているが、側面端部側への商品の載置が規制され、棚のうち加温に適した範囲にのみ商品が載置される。
【００１０】
【発明の実施の形態】
図１乃至図５は本発明のショーケースの一実施形態を示すもので、図１はショーケースの外観斜視図、図２はショーケースの側面断面図、図３は棚の斜視図、図４は棚の要部説明図、図５は取付部の正面断面図である。
【００１１】
図１に示すように、このショーケースは、前面及び両側面を開口したショーケース本体１と、ショーケース本体１の両側面に設けられた一対の透明板２と、ショーケース本体１内に設けられ上段・中段・下段の計三段からなる棚３とを備えている。
【００１２】
図２に示すように、ショーケース本体１内には、その背面側下方に冷却用の蒸発器４と、その下部に蒸発器用送風機５とが備えられている。蒸発器４はショーケース本体１下方の機械室６内に設けられた凝縮器７及び圧縮機８とともに冷凍回路を構成している。また、上段の棚３は商品加温用のヒータ９を内蔵しており、季節や販売商品に応じて、商品の冷却・加温を変更するようになっている。このショーケースの場合、ショーケース本体１内上部と、上段の棚３の下部とに冷気の吐出口を有し、何れか一方の吐出口から冷気が吐出されるようになっている。即ち、全ての棚３の商品を冷却する態様と、上段の棚３の商品を加温して中段・下段の商品を冷却する態様の何れかを選択できるようになっている。また、中段及び下段の棚３はヒータ内蔵のものに交換可能であり、全ての棚３の商品を加温することもできる。
【００１３】
図３に示すように、上段の棚３はショーケースの前後方向及び左右方向に延びる箱形に形成され、その上面下部に前述のヒータ９を内蔵している。この棚３に載置される商品の加温時にはこのヒータ９が作動して棚３の上面を介して商品が加温されるようになっている。また、棚３はその前端及び左右両端に沿ってコ字状に形成された冷却・加温状態を示す表示板３ａと、その前面側に着脱自在に設けられた広告表示用の化粧枠３ｂとを有している。さらに、上段の棚３の左右側面は、上面の左右端部に比べやや内側に形成され、各側面には前後方向に延びるレール３ｃが設けられ、この棚３は前後方向に移動可能となっている。さらにまた、上段の棚３上面の左右両端には取付部３ｄが設けられ、この取付部３ｄに規制部材としてのスペーサ１０が取り付けられている。
【００１４】
ヒータ９は棚３の左右に延びて形成されており、前後方向に並設され棚３の上面と接触する複数の加温部を有している。この加温部は、棚３の側面よりも内側に設置されているので、棚３の上面の左右端部側とは接触していない。
【００１５】
方形状の各スペーサ１０は、棒状部材を屈曲させて形成され、その一辺が棚３の左右端部に設置された取付部３ｄに回動自在に取り付けられている。本実施形態においては、各スペーサ１０の一辺の中央は切り欠かれ、箱状に形成された各取付部３ｄに各スペーサ１０の両端側が挿入されている。即ち、各スペーサ１０は、図４（ａ）に示すように、棚３の上面の左右端部側における所定範囲に設置されていて、図４（ｂ）に示すように、回動させて起立させることが可能である。
【００１６】
各取付部３ｄは棚３の左右端部に前後方向に延びる箱状であり、その幅方向はスペーサ１０の直径とほぼ同じ寸法に、その高さ方向はスペーサ１０の直径よりも大きい寸法に形成されている。各取付部３ｄの前端及び後端の上側の角部は切り欠かれ、この切り欠かれた部分から各スペーサ１０の両端側が挿入される。即ち、各スペーサ１０は回動自在且つ高さ方向に移動自在に取り付けられている。各スペーサ１０が棚３の上面側に位置するときは、図５（ａ）に示すように、各スペーサ１０は取付部３ｄの左右方向内側の側面上部と接触し、各取付部３ｄ内の上方に位置した状態となっている。この状態から各スペーサ１０を回動させて、各スペーサ１０を起立させ各スペーサ１０を下方向に移動させると、図５（ｂ）に示すように、各スペーサ１０が起立した状態で各取付部３ｄに保持される。即ち、各取付部３ｄは各スペーサ１０の保持手段をなしている。
【００１７】
以上のように構成されたショーケースにおいては、棚３に載置された商品を加温する際にはヒータ９を作動させ、ヒータ９から棚３の上面を介して商品に熱が伝導し、商品を加温する。このとき、図４（ａ）に示すように、各スペーサ１０を棚３の上面側に位置させることにより、ヒータ９の加温部が接触していない左右端部側への商品の載置が規制される。
【００１８】
また、商品を冷却する際には冷凍回路を作動させ、蒸発器４によりショーケース本体１内を冷却し、商品を冷却する。このとき、図４（ｂ）に示すように、各スペーサ１０を回動させて起立させることにより、商品の載置の規制が解除される。
【００１９】
このように、本実施形態のショーケースによれば、加温時にヒータ９からの熱が伝わり難い棚３の左右端部側への商品の載置を規制する各スペーサ１０を設けたので、棚３のうち加温される範囲にのみ商品が載置され、従来のように十分に加温されない商品が棚に陳列されることはない。
【００２０】
また、各スペーサ１０を商品の載置の規制を解除可能に設け、冷却時には棚３の左右端部側に商品を載置できるようにしたので、冷却時に棚３の上面全体に商品を載置することができ、実用に際して極めて有利である。また、各スペーサ１０を棚３の左右端部に回動自在に取り付けたので、前記規制の解除を容易に行うことができる。
【００２１】
また、取付部３ｄにより各スペーサ１０が起立した状態で保持されるようにしたので、簡単な構造で確実に商品の載置の規制を解除することができるばかりか、冷却時に各スペーサ１０を棚３の商品ガードとして用いることができ、実用に際して極めて有利である。
【００２２】
尚、前記実施形態においては、棒状部材を屈曲させたスペーサ１０を回動自在に設けたものを示したが、例えば図６に示すように、方形状の板からなるスペーサ１０ａを回動自在に設けてもよい。
【００２３】
また、前記実施形態においては、冷却時にスペーサ１０を回動させることにより、前記規制を解除するものを示したが、スペーサを棚の上面に着脱自在に設け、冷却時にスペーサを棚から外すことにより、前記規制を解除するようにしてもよい。
【００２４】
また、前記実施形態においては、各スペーサ１０を起立させて棚３の左右端部側における所定範囲への商品の規制を解除するものを示したが、各スペーサ１０を棚３の外側方向まで回動させるものであってもよい。
【００２５】
また、前記実施形態においては、前面を開口したショーケースの棚３にスペーサ１０を設けたものを示したが、加温用のヒータを内蔵した棚を有するものであれば、どのような形状のショーケースの棚にスペーサを設けてもよい。
【００２６】
また、前記実施形態においては、棚３の両側面にレール３ｃを設けたものを示したが、棚３の両側面がショーケース本体１側に金具等により固定されたものであってもよい。
【００２７】
【発明の効果】
以上説明したように、請求項１記載のショーケースによれば、棚の側面端部側への商品の載置を規制する規制部材を設けたので、棚のうち加温される範囲にのみ商品が載置され、従来のように十分に加温されない商品が棚に陳列されることはない。
【図面の簡単な説明】
【図１】本発明の一実施形態を示すショーケースの外観斜視図
【図２】ショーケースの側面断面図
【図３】棚の斜視図
【図４】棚の要部説明図
【図５】取付部の正面断面図
【図６】棚の要部説明図
【符号の説明】
１…ショーケース本体、３…棚、３ｄ…取付部、９…ヒータ、１０…スペーサ、１０ａ…スペーサ。
【図１】
0003746662.tif 000002
【図２】
0003746662.tif 000003
【図３】
0003746662.tif 000004
【図４】
0003746662.tif 000005
【図５】
0003746662.tif 000006
【図６】
0003746662.tif 000007